(57)【要約】【課題】使用者の使い勝手のよいように、カランを左右にスライド移動し、洗面や化粧のできる洗面化粧台を提供する。【解決手段】洗面ボウルＢの上方をカラン１が左右に移動自在とされた洗面化粧台であって、該カラン１はカラン固定板２に一体的に結合されるとともに、該洗面ボウルの後部にはカラン保持部３が立設され、該カラン保持部３はカラン固定板２をスライド自在に保持する吊り下げ保持部５を内設し、上記カラン１にはフレキシブルな給水管４が接続されてなるカラン可動洗面化粧台Ａ。【選択図】図１
2008229207.tif 000002
【特許請求の範囲】
【請求項１】
洗面ボウルの上方をカランが左右に移動自在とされた洗面化粧台であって、該カランはカラン固定板に一体的に結合されるとともに、該洗面ボウルの後部にはカラン保持部が立設され、該カラン保持部はカラン固定板をスライド自在に保持する吊り下げ保持部を内設し、上記カランにはフレキシブルな給水管が接続されてなるカラン可動洗面化粧台。
【請求項２】
上記カラン固定板は上部に転動ローラを備えるとともに、上記吊り下げ保持部はレール構造からなり、上記転動ローラはその円周面略中央に設けられた凹溝を上記レール部によって転動自在に係合、保持される請求項１に記載のカラン可動洗面化粧台。
【請求項３】
上記カラン固定板は、さらに下部にガイドローラを備えるとともに、上記カラン保持部の下部は一対のガイドレールから構成され、上記ガイドローラはその円周面略中央に設けられた凹溝を上記ガイドレールによって転動自在に係合、案内される請求項１に記載のカラン可動洗面化粧台。
【発明の詳細な説明】
【技術分野】
【０００１】
本発明は、洗面化粧台に関する。さらに詳しくは、カランが左右にスライド可能であり、位置変更自在とされたカラン可動洗面化粧台に関する。
【背景技術】
【０００２】
近年、生活の多様化、家族構成の変化等に対応するため、種々のタイプの洗面化粧台が提案されている。例えば、下記特許文献１には、平均的な高さ（７３０ｍｍ）の洗面化粧台では高齢者や子供には高過ぎるため使いにくく、踏み台や介助を要し、伸長の伸びが著しい若者には低過ぎて使い勝手が悪いため、身長の相違する使用者に対しても、使い勝手よく高さを調節できる洗面化粧台が提案されている。
【０００３】
すなわち、下記特許文献１に記載の洗面化粧台は、洗面ボウルおよび給水栓をガススプリング式、電動式等の昇降機構により高さ調節可能とされているため、使用者の身長に合わせて無理な姿勢を取らず、使い勝手よく洗面や化粧をすることができると記載されている。また、左右に２組並設し、その一方のみを昇降可能とすることにより、複数人が同時に使用できる効果もあると記載されている。
【特許文献１】実開平７−１８８１号公報（第１〜２頁、第１、第２図、第３図）
【発明の開示】
【発明が解決しようとする課題】
【０００４】
一方、大型化した洗面化粧台も、近年普及しつつあり、この場合、使用者が洗面や、化粧をする場合、使い勝手のよいように、カランを左右に移動させて使用できる洗面化粧台が望まれている。さらに、複数の使用者が同時に洗面や化粧のできる大型の洗面化粧台も開発されており、このときもカランを左右に移動可能とし、例えば、二人の使用者が使い勝手よく使用できることが望まれる。
【０００５】
本発明はこのような状況に鑑みて考え出されたものであり、使用者の望む位置で洗面や化粧ができるようにカランを左右にスライド移動可能とされた、使い勝手のよい洗面化粧台を提供することを、その課題とする。
【課題を解決するための手段】
【０００６】
上記課題を解決するために、本発明においては、つぎのような技術的手段を講じている。すなわち、請求項１に記載の発明によれば、洗面ボウルの上方をカランが左右に移動自在とされた洗面化粧台であって、該カランはカラン固定板に一体的に結合されるとともに、該洗面ボウルの後部にはカラン保持部が立設され、該カラン保持部はカラン固定板をスライド自在に保持する吊り下げ保持部を内設し、上記カランにはフレキシブルな給水管が接続されてなるカラン可動洗面化粧台が提供される。上記カラン保持部の上方にミラー等を設置することも可能であり、また、カラン保持部の天面は、化粧品や、洗面用具等を載置するカウンターとしても利用できる。
【０００７】
請求項２に記載のカラン可動洗面化粧台は、請求項１に記載の発明に加えて、
上記カラン固定板は上部に転動ローラを備えるとともに、上記吊り下げ保持部はレール構造からなり、上記転動ローラはその円周面略中央に設けられた凹溝を上記レール部によって転動自在に係合、保持される。
【０００８】
請求項３に記載のカラン可動洗面化粧台は、請求項１に記載の発明に加えて、上記カラン固定板は、さらに下部にガイドローラを備えるとともに、上記カラン保持部の下部は一対のガイドレールから構成され、上記ガイドローラはその円周面略中央に設けられた凹溝を上記ガイドレールによって転動自在に係合、案内される。
【発明の効果】
【０００９】
請求項１に記載の発明にかかるカラン可動洗面化粧台は上記のとおりであり、洗面ボウルの後部にはカランと一体的に結合されカラン固定板を保持するカラン保持部が立設され、このカラン保持部の内部にはカラン固定板をスライド自在に保持する吊り下げ保持部が設けられ、上記カランにはフレキシブルな給水管が接続されているため、カランを左右に移動しても給水管が追従可能であり、使用者の望む位置でカランから水を出し、使い勝手よく洗面や化粧をすることができる。
【００１０】
請求項２に記載のカラン可動洗面化粧台は上記のとおりであり、請求項１のカラン可動洗面化粧台の有する効果に加え、上記カラン固定板は上部に転動ローラを備えるとともに、上記吊り下げ保持部はレール構造からなり、上記転動ローラはその円周面略中央に設けられた凹溝を上記レール部によって転動自在に係合、保持されるため、カラン固定板も左右自在に移動し、かくしてカラン固定板に一体的に結合されたカランも左右に移動自在とすることができる。
【００１１】
請求項３に記載のカラン可動洗面化粧台は上記のとおりであり、請求項１のカラン可動洗面化粧台の有する効果に加え、上記カラン固定板は、さらに下部にガイドローラを備え、上記カラン保持部の下部は一対のガイドレールから構成されているため、上記ガイドローラはその円周面略中央に設けられた凹溝を上記ガイドレールによって転動自在に係合、案内される。その結果、カラン固定板はぶれることなく、安定して左右への移動可能となり、カランも直線的にスムースに左右にスライド移動できる。
【発明を実施するための最良の形態】
【００１２】
以下、本発明の実施形態について図面を参照して詳細に説明する。図１は、本発明にかかるカラン可動洗面化粧台Ａを示す外観斜視図である。図１に示すように、上記カラン可動洗面化粧台Ａにおいて、カラン固定板２に一体的に結合され、フレキシブル給水管４に接続されたカラン１は、洗面ボウルＢの上方を上記カラン固定板２ととともに、左右に移動する。上記フレキシブル給水管４は図外給水本管と給水接続孔９で接続され、給水される。
【００１３】
図１に示されるように、カラン１はカラン固定板２に一体的に結合され、洗面ボウルＢの後部に立設されたカラン保持部３によって保持される。また、このカラン保持部３の天面３１に接してミラー部Ｍが設けられている。上記カラン保持部３の天面３１は、化粧道具や洗面用具等を載置するためのカウンターとして利用される。また、カラン保持部３の内部上部には、後記する吊り下げ保持部５が内設され、カラン保持部３の下部は一対のガイドレール８から構成される。
【００１４】
図２は、図１に示すカラン固定板２と、このカラン固定板２と一体的に結合されたカラン１とを独立して示す説明図である。図２に示すように、カラン固定板２の上部両端には一対の転動ローラ６が設けられ、また、下端部略中央には、ガイドローラ７が設けられている。
【００１５】
図３は、図１におけるＸ−Ｘ線に沿う断面図である。図３に示されるように、カラン保持部３の内部の上部には、上下一対のレールが並設された吊り下げ保持部５が設けられ、上記一対の転動ローラ６は、上記吊り下げ保持部５により吊り下げられて保持される。また、図３において、上記吊り下げ保持部５によって吊り下げ保持された転動ローラ６は、カラン保持部３の長手方向にレール上を転動して左右自在に移動し、かくしてカラン固定板２も左右に移動自在とされ、カラン固定板２に一体的に結合されたカラン１も左右に移動自在とされる。
【００１６】
さらに、カラン保持部３の下面はガイドローラ７を案内する一対のガイドレール８から構成され、このガイドレール８は、ガイドローラ７の円周面略中央に設けられた凹溝に遊嵌合し、カラン固定板２の左右への移動が直線的にスムースとなるように案内する。また、フレキシブル給水管４は、給水本管Ｗと給水接続孔９で接続される。
【００１７】
図４は、本発明にかかるカラン可動洗面化粧台Ａにおいて、カラン１を右方向にスライド移動した状態を示す外観斜視図である。図４に示すように、洗面ボウルＢの略中央に洗面器を置いた場合、カラン１が洗面や手洗いをするとき邪魔となるため、カラン１を右方向に移動させることにより、使い勝手よく洗面化粧台を使用することができる。また、化粧をする場合等においても、使用者が化粧し易いようにカラン１を適宜、横方向に移動することができる。
【００１８】
また、大型の洗面化粧台を二人が同時に使用する場合、一人が化粧するかたわら、カラン１を移動させて一人が洗面等をすることができる。なお、上記実施形態においては、カラン１が給水栓の場合について述べたが、湯と水とを混合して供給する湯水混合水栓としてもよい。このとき、湯水混合水栓は、フレキシブル給水管４に接続されるととともに、フレキシブルな給湯管に接続される。このように、本発明は設計変更自在であり、特許請求の範囲を逸脱しない限り、本発明の技術的範囲に属する。
【図面の簡単な説明】
【００１９】
【図１】本発明にかかるカラン可動洗面化粧台を示す外観斜視図である。
【図２】カラン固定板と、このカラン固定板に一体的に結合されたカランとを示す説明図である。
【図３】図１におけるＸ−Ｘ線に沿う断面図である。
【図４】カランを右方向に移動した状態における本発明にかかるカラン可動洗面化粧台を示す外観斜視図である。
【符号の説明】
【００２０】
Ａ          本発明にかかるカラン可動洗面化粧台
Ｂ          洗面ボウル
Ｍ          ミラー部
Ｗ          給水本管
１          カラン
２          カラン固定板
３          カラン保持部
３１        天面
４          フレキシブル給水管
５          吊り下げ保持部
６          転動ローラ
７          ガイドローラ
８          ガイドレール
９          給水接続孔
【図１】
2008229207.tif 000003
【図２】
2008229207.tif 000004
【図３】
2008229207.tif 000005
【図４】
2008229207.tif 000006